(57)【要約】【課題】  従来の一般的な携帯端末装置と同等の大きさのまま、文字入力の操作を簡略化することができる携帯端末装置を提供する。【解決手段】  表示部８を有する第１筐体１２と操作部１４を有する第２筐体１８が開閉自在に互いに連結されて、閉じた状態又は開いた状態のいずれであっても表示部を外側に露出させるようになっていると共に、閉じた状態にすると第１筐体により操作部が覆い隠され、開いた状態にすると操作部が露出するようになっている携帯端末装置３０において、第１筐体と前記第２筐体について互いの開閉方向の相対位置を検出する筐体開度検知部４６と、入力操作により表示部に文字を表示させた後であって次の文字の入力操作が行なわれる前に、第１筐体と第２筐体の相対位置を変化させる操作を検出した場合に、表示されている文字を他の文字に変更する制御を行なう制御部６２とを備えるようにした。【選択図】      図３
2005079851.tif 000002
【特許請求の範囲】
【請求項１】
表示部を有する第１筐体と操作部を有する第２筐体が開閉自在に互いに連結されて、閉じた状態又は開いた状態のいずれであっても表示部を外側に露出させるようになっていると共に、閉じた状態にすると第１筐体により操作部が覆い隠され、開いた状態にすると操作部が露出するようになっている携帯端末装置において、
前記第１筐体と前記第２筐体について互いの開閉方向の相対位置を検出する筐体開度検知部と、
入力操作により前記表示部に文字を表示させた後であって次の文字の入力操作が行なわれる前に、前記筐体開度検知部が前記第１筐体と前記第２筐体についての互いの相対位置を変化させる操作を検出した場合に、表示されている文字を他の文字に変更する制御を行なう制御部と
を備えることを特徴とする携帯端末装置。
【請求項２】
前記制御部は、入力操作により前記表示部に文字を表示させた後であって次の文字の入力操作が行なわれる前に、前記筐体開度検知部が前記第１筐体と前記第２筐体についての互いの相対位置を変化させる操作を検出した場合に、この変化後の相対位置が前記操作部の少なくとも文字入力に要するキーが第１筐体に覆い隠されることがない範囲内である場合にのみ表示されている文字を他の文字に変更する制御を行なうようにした請求項１に記載の携帯端末装置。
【請求項３】
仮名文字が五十音の各行ごとに前記操作部の全部又は一部の各キーに割当てられていると共に、五十音の同一母音ごとの各段のそれぞれが前記第１筐体と前記第２筐体の互いの特定の相対位置に割当られており、
前記制御部は、前記操作部からの入力操作により指定された仮名文字の五十音の行と、前記特定の相対位置を変化させる操作により指定された五十音の各母音の段に基づいて対応する仮名文字を前記表示部に表示させる制御を行なうようにした請求項１に記載の携帯端末装置。
【請求項４】
前記特定の相対位置のいずれもが、前記操作部の少なくとも文字入力に要するキーが第１筐体に覆い隠されることがない範囲内に設定されていることを特徴とする請求項３に記載の携帯端末装置。
【請求項５】
前記制御部は、前記操作部からの入力操作により仮名文字の五十音の行が指定されたときに、その行の仮名文字の中からそのときの前記特定の相対位置に対応して指定される五十音の各母音の段の仮名文字を前記表示部に表示させる制御を行なうようにした請求項３又は請求項４に記載の携帯端末装置。
【請求項６】
前記制御部は、前記表示部に仮名文字を表示させた後に前記操作部から五十音の行を指定する入力操作が行なわれた場合に、この入力操作を次の文字の入力操作として扱うようにした請求項１ないし請求項５のいずれか一つに記載の携帯端末装置。
【請求項７】
前記第１筐体と前記第２筐体のそれぞれの端部は、第２筐体の前記操作部が配置される面に垂直な連結軸を中心に回動自在に連結されて、
前記制御部は、前記表示部に表示させる文字の上下方向を前記第２筐体の長さ方向と略一致させる制御を行なうようにした請求項１ないし請求項６のいずれか一つに記載の携帯端末装置。
【発明の詳細な説明】
【技術分野】
【０００１】
本発明は、開閉自在に連結された２つの筐体を有すると共に、表示部と操作部を備えて操作部からの入力操作により表示部に文字を表示させることができる携帯端末装置に関するものである。
【背景技術】
【０００２】
携帯電話機のような携帯端末装置は、その表示部に文字を表示させる場合に、操作部のテンキーから文字を入力することができるようになっているものがある。また、テンキーによる入力操作の煩わしさを解決するために、図１０に示すように、操作部として、五十音の仮名文字が円形の縁に沿って表示されている円形型入力部２を備えるような携帯端末装置４も提案されているが（例えば、特許文献１）、一般的には、操作部にテンキーを備えるようにしたものが主流である。
【０００３】
このような操作部にテンキーを備える一般的な携帯端末装置として、図１１に示すような折り畳み型携帯電話機６がある。この折り畳み型携帯電話機６は、表示部８とスピーカー１０を有する第１筐体１２、及び操作部１４とマイクロホン１６を有する第２筐体１８を備えている。
【０００４】
そして、第２筐体１８の操作部１４には、フックオフキー２０、フックオンキー２２、テンキー２４、決定キー２６、カーソルキー２８が備えられている。フックオフキー２０及びフックオンキー２２は、通信の接続及び切断の操作等に用いられる。
【０００５】
決定キー２６は、例えば、文字入力の操作中において、仮名文字を入力して表示部８に表示させた後に、この仮名文字を他の文字に変更しないものと決定して表示させたまま、次の文字の入力位置にカーソルを移動させたいような場合に用いられる。また、カーソルキー２８は、上下左右方向に動かすことにより、表示部８に表示されているカーソルを文章中の任意の位置に移動させたいような場合に用いられる。
【０００６】
また、折り畳み型携帯電話機６は、平仮名入力モード、片仮名入力モード、英字入力モード、又は数字入力モード等の中から、いずれかの入力モードを選択した後に、テンキー２４から文字の入力操作が行なわれると、その入力モードに対応する種類の文字が表示部８に表示されるようになっている。
【０００７】
特に、平仮名入力モード又は片仮名入力モードで入力することができる仮名の文字は、操作部１４のテンキー２４の「１」から「９」及び「０」の各キーに、仮名文字が五十音の行ごとに割当てられるようになっている。例えば、テンキー２４の「１」のキーには「あ行」が、「２」のキーには「か行」が、「３」のキーには「さ行」が割当てられている。また、「０」のキーには「わ」「を」「ん」の文字が割当てられている。
【０００８】
したがって、仮名文字の「く」の文字を入力したいような場合には、まず、テンキー２４の「２」のキーを１回押しこんで「か行」の中の母音「あ」の段に相当する「か」の文字を表示部８に表示させてから、続けてテンキー２４の「２」のキーを２回押しこむことにより、表示部８の「か」の表示を母音「い」の段の「き」、「う」の段の「く」の順に変更させるようになっている。
【０００９】
そして、仮名文字を連続的に入力して単語として認識できるようにした後に、これを仮名文字のままにしておく場合には、決定キー２６等により確定する操作を行ない、漢字等に変換する場合には、図示しないが、カーソルキー２８等の操作により表示部８に変換候補の一覧を表示させて該当する漢字等を選択し、これに確定する操作を行なうようになっている。
【特許文献１】特開平８−３１７０３２号公報
【発明の開示】
【発明が解決しようとする課題】
【００１０】
しかしながら、携帯電話機６のような従来の一般的な携帯端末装置の文字入力は、入力操作が煩わしいという問題があった。例えば、五十音の「お」「こ」「そ」「と」のような母音「お」の段の文字などは、それぞれ同一のキーを５回も押し込まなければならず、また、「ふぃ」や「えっ」等のような拗音や促音を表示するときに用いる「ぃ」又は「っ」のように小さい文字を表示させるような場合には、これらの文字はキーを押しこむ回数が母音「お」の段以降に設定されていることが多いため、同一のキーを押しこむ回数がさらに増加してしまう。
【００１１】
また、このような入力操作の煩わしさを解決するために、前記特許文献１に記載されているような円形型入力部２を備える携帯端末装置４を用いたとしても、円形型入力部２が著しく大きくなって筐体が大型化してしまうという問題があった。
【００１２】
そこで本発明は、上記問題点に鑑みて、従来の一般的な携帯端末装置と同等の大きさのまま、文字入力の操作を簡略化することができる携帯端末装置を提供することを課題とするものである。
【課題を解決するための手段】
【００１３】
上記課題を解決するために、本発明による携帯端末装置は、
表示部を有する第１筐体と操作部を有する第２筐体が開閉自在に互いに連結されて、閉じた状態又は開いた状態のいずれであっても表示部を外側に露出させるようになっていると共に、閉じた状態にすると第１筐体により操作部が覆い隠され、開いた状態にすると操作部が露出するようになっている携帯端末装置において、
前記第１筐体と前記第２筐体について互いの開閉方向の相対位置を検出する筐体開度検知部と、
入力操作により前記表示部に文字を表示させた後であって次の文字の入力操作が行なわれる前に、前記筐体開度検知部が前記第１筐体と前記第２筐体についての互いの相対位置を変化させる操作を検出した場合に、表示されている文字を他の文字に変更する制御を行なう制御部とを備えることを特徴とするものである。
【００１４】
また、本発明による携帯端末装置は、前記制御部が、入力操作により前記表示部に文字を表示させた後であって次の文字の入力操作が行なわれる前に、前記筐体開度検知部が前記第１筐体と前記第２筐体についての互いの相対位置を変化させる操作を検出した場合に、この変化後の相対位置が前記操作部のいずれのキーも第１筐体に覆い隠されることがない範囲内である場合にのみ表示されている文字を他の文字に変更する制御を行なうことを特徴とする。
【００１５】
また、本発明による携帯端末装置は、
仮名文字が五十音の各行ごとに前記操作部の全部又は一部の各キーに割当てられていると共に、五十音の同一母音ごとの各段のそれぞれが前記第１筐体と前記第２筐体の互いの特定の相対位置に割当られており、
前記制御部は、前記操作部からの入力操作により指定された仮名文字の五十音の行と、前記特定の相対位置を変化させる操作により指定された五十音の各母音の段に基づいて対応する仮名文字を前記表示部に表示させる制御を行なうことを特徴とする。
【００１６】
また、本発明による携帯端末装置は、前記特定の相対位置のいずれもが、前記操作部のいずれのキーも第１筐体に覆い隠されることがない範囲内に設定されていることを特徴とする。
【００１７】
また、本発明による携帯端末装置は、前記制御部が、前記操作部からの入力操作により仮名文字の五十音の行が指定されたときに、その行の仮名文字の中からそのときの前記特定の相対位置に対応して指定される五十音の各母音の段の仮名文字を前記表示部に表示させる制御を行なうことを特徴とする。
【００１８】
また、本発明による携帯端末装置は、前記制御部が、前記表示部に仮名文字を表示させた後に前記操作部から五十音の行を指定する入力操作が行なわれた場合に、この入力操作を次の文字の入力操作として扱うことを特徴とする。
【００１９】
また、本発明による携帯端末装置は、
前記第１筐体と前記第２筐体のそれぞれの端部が、第２筐体の前記操作部が配置される面に垂直な連結軸を中心に回動自在に連結されて、
前記制御部は、前記表示部に表示させる文字の上下方向を前記第２筐体の長さ方向と常に一致させる制御を行なうことを特徴とする。
【発明の効果】
【００２０】
このような本発明の携帯端末装置によれば、入力操作により表示部に文字を表示させた後であって次の文字の入力操作が行なわれる前に、第１筐体と第２筐体についての互いの相対位置を変化させる操作を検出した場合に、表示されている文字を他の文字に変更する制御を行なうようにしたため、従来の一般的な携帯端末装置と同等の大きさのまま、文字入力の操作を簡略化することができる。
【発明を実施するための最良の形態】
【００２１】
以下、本発明に係る携帯端末装置の実施の形態について、図面に基づいて具体的に説明する。
【００２２】
図１ないし図８は、本発明の第１の実施の形態に係る重ね型携帯電話機３０（携帯端末装置に相当）について説明するために参照する図である。これらの図に示す重ね型携帯電話機３０は、従来の折り畳み型携帯電話機６（図１１参照）と同様の部分には同じ符号を付して説明し、従来と同様の構成についての重複する説明は省略するものとする。
【００２３】
図１及び図２に示すように、本実施の形態に係る重ね型携帯電話機３０は、表示部８とスピーカー１０を有する第１筐体１２、及び操作部１４とマイクロホン１６を有する第２筐体１８を備えており、第１筐体１２及び第２筐体１８のそれぞれの端部３２，３４が、操作部１４が配置されている面と垂直の方向に軸線が配置された連結軸３６により回動自在に連結されている。
【００２４】
このような重ね型携帯電話機３０において、図１に示すように、第１筐体１２と第２筐体１８のそれぞれの長さ方向が一致して、第２筐体１８の操作部１４が第１筐体１２に覆い隠されることがないようにした状態を、開いた状態ということとする。
【００２５】
また、図２に示すように、第１筐体１２と第２筐体１８のそれぞれの長さ方向が一致して、第１筐体１２により第２筐体１８の操作部１４が覆い隠されるような状態を、重ね合わせた状態又は閉じた状態ということとする。
【００２６】
この重ね型携帯電話機３０は、閉じた状態又は開いた状態のいずれにおいても、第１筐体１２の表示部８を外側から見ることができる。第２筐体１８の操作部１４は、開いた状態で操作することができるようになっている。
【００２７】
また、図１に示すような開いた状態から閉じた状態となるような方向に第２筐体１８を第１筐体１２に対して回動させていっても（図１中、矢印Ａ）、図３に示すように、二点鎖線で示した略９０°までの範囲では操作部１４の少なくとも文字入力に必要なキーは第１筐体１２に覆い隠されないので、操作部１４により文字入力の操作を行なうことができる。このように操作部１４の少なくとも文字入力に必要なキーが第１筐体１２に覆い隠されないような範囲を、操作部露出範囲ということとする。
【００２８】
なお、好ましくは、操作部１４のいずれのキーも第１筐体１２に覆い隠されない範囲内で文字入力の操作を行なうようになっていることが望ましいが、本実施の形態のように、文字入力に最低限必要なテンキー２４が第１筐体１２に覆い隠されない範囲内で文字入力の操作ができるようになっていてもよい。
【００２９】
また、操作部１４のテンキー２４には、従来の折り畳み型携帯端末装置６と同様に、それぞれのキーに五十音の各行が割当てられていて、文字入力の操作等に用いることができるが、後述するように、従来の折り畳み型携帯端末装置６とは文字入力の操作方法が異なり、文字入力の操作中においては、テンキー２４からの入力操作、及び第１筐体１２と第２筐体１８の互いの相対的な角度（相対位置）の両方に基づいて、後述する制御部６２が対応する文字を表示部８に表示させるようになっている。
【００３０】
また、図１に示すように、第１筐体１２において、その表示部８が配置されている表示面３８と隣り合って、長さ方向と平行な側面４０，４２のうちの一方の側面にはサイドキー４４が設けられている。ユーザーは、重ね型携帯電話機３０を開いた状態にしたときに、一方の手のいずれかの指先の腹の部分をサイドキー４４に軽く当接させるようにして、第１筐体１２をその背後側から保持することができる。
【００３１】
そして、サイドキー４４の操作が必要なときには、当接させている指をそのまま押し込めばよい。後述するように、このサイドキー４４は、仮名文字で入力された単語等を漢字に変換する場合等に用いる。
【００３２】
次に、図３に示すように、この重ね型携帯電話機３０には、操作部露出範囲内において、第１筐体１２と第２筐体１８について開閉方向の相対的な位置関係を検出することができるように筐体開度検知部４６が設けられている。この筐体開度検知部４６は、連結軸３６の近傍において、第１筐体１２側に設けられる三角形の導通接点４８、及び第２筐体１８側に設けられる矩形の５つの導通接点５０，５２，５４，５６，５８により構成されている。
【００３３】
第２筐体１８側のそれぞれの導通接点５０，５２，５４，５６，５８は、連結軸３６からの距離が同一となるように配置されており、第１筐体１２と第２筐体１８の互いの相対的な角度（相対位置）が０°（重ね型携帯電話機３０が完全に開いた状態）、操作部露出範囲９０°を４等分する０°から２２.５°、４５°、６７.５°のそれぞれの角度、及び９０°（操作部露出範囲の限界点）の各位置になったときに、第１筐体１２側の導通接点４８と接触することにより電気的に導通してそれらの角度を検出するようになっている。
【００３４】
また、操作部露出範囲外では、操作部１４のテンキー２４に対する操作を行なえなくなるため、筐体開度検知部４６は操作部露出範囲内だけに検出することができる角度を設定するようにして、後述するように、角度の検出を操作部１４に対する操作と組合せることができるようになっている。
【００３５】
なお、本実施の形態においては、筐体開度検知部４６として電気的に検出を行なう導通接点４８，５０，５２，５４，５６，５８を用いるようにしたが、他の異なる実施の形態として機械的スイッチ、光学センサー又は磁気センサー等の他の手段を用いるようにしてもよい。
【００３６】
図４は、重ね型携帯電話機３０の回路構成を示すブロック図である。重ね型携帯電話機３０は、すでに説明したように表示部８、スピーカー１０、操作部１４、マイクロホン１６、サイドキー４４及び筐体開度検知部４６を備えている。また、重ね型携帯電話機３０は、従来の一般的な携帯電話機と同様に、通信のためにアンテナが接続された無線部６０を備えており、これらは制御部６２に制御されて動作するようになっている。
【００３７】
また、重ね型携帯電話機３０は記憶部６４を備えており、この記憶部６４には、図５に示すような仮名文字テーブル６６が記憶されている。仮名文字テーブル６６におけるそれぞれの文字は、操作部１４のテンキー２４の値により五十音の行が指定され、第１筐体１２と第２筐体１８の互いの相対的な角度により五十音の該当する母音の段が指定されるようになっている。
【００３８】
また、図４中の制御部６２は、仮名文字入力の操作が行なわれている場合には、テンキー２４からの入力操作、及び第１筐体１２と第２筐体１８の互いの相対的な角度（相対位置）に基づいて、記憶部６４の仮名文字テーブル６６の中から対応する仮名文字を表示部８に表示させる制御を行なうようになっている。
【００３９】
すなわち、テンキー２４からの操作に基づいて仮名文字テーブル６６の中から五十音の行を指定し、第１筐体１２と第２筐体１８の互いの相対的な角度に基づいて五十音の母音の段を指定することにより、対応する仮名文字を選択して、これを表示部８に表示させるようになっている。
【００４０】
次に、この重ね型携帯電話機３０の文字入力の操作及び制御部６２の動作を、図６及び図７に示すフローチャートに基づいて説明する。
【００４１】
ユーザーが平仮名入力モード又は片仮名入力モードを選択して、文字入力の操作を開始すると、制御部６２は、仮名文字入力の操作の待ち受け状態になる（図６中、ステップＳ１及びステップＳ２のＮＯ）。
【００４２】
テンキー２４の中のいずれかのキーが操作された場合には（ステップＳ２のＹＥＳ）、制御部６２は、そのキーの値を保持するようになっている（ステップＳ３）。例えば、ユーザーが「も」の文字を入力しようとしている場合には、図３に示すように、「も」の文字が属する五十音の「ま行」がテンキーの「７」のキーに割当てられているため、ユーザーはこの「７」のキーを押し込む操作を行なう。制御部６２は、五十音の「ま行」に対応する「７」の値を保持するようになっている。
【００４３】
次に、制御部６２は、筐体開度検知部４６からの出力に基づいて、現在の第１筐体１２と第２筐体１８の互いの相対的な角度を認識してこの角度を保持するようになっている（図６中、ステップＳ４）。
【００４４】
そして、ステップＳ３で保持したテンキー２４の値と、ステップＳ４で保持した角度により、図５に示す仮名文字テーブル６６から対応する仮名文字を選択して（ステップＳ５）、この仮名文字を表示部８に表示する（ステップＳ６）。
【００４５】
制御部６２は、表示部８に仮名文字表示させた後、この仮名文字が属している五十音の行における他の文字に変更する操作が行なわれるか、又は次の仮名文字が入力されるのを待ち受ける状態になる（図７中、ステップＳ７）。
【００４６】
ステップＳ７の状態において、図３に示すように、操作部露出範囲内で第２筐体１８を回動させることにより、第１筐体１２と第２筐体１８の互いの相対的な角度を変化させる操作が行われた場合には（図７中、ステップＳ８のＹＥＳ）、図６中のステップＳ４に戻り、図５に示す仮名文字テーブル６６において、表示部８に表示中の仮名文字が属している五十音の行の他の仮名文字の中から、変化後の角度に対応する五十音の段の仮名文字に変更して表示するようになっている（図６中、ステップＳ４、ステップＳ５及びステップＳ６）。
【００４７】
ここで、図３に示す操作部露出範囲の範囲外にまで第２筐体１８が回動したような場合には、筐体開度検知部４６は角度の検出を行なわないので、制御部６２は他の仮名文字に変更するような制御は行なわないようになっている。
【００４８】
また、第２筐体１８を回動させる操作が行われずに（図７中、ステップＳ８のＮＯ）、決定キー２６が操作された場合には（ステップＳ９の決定キー）、表示部８において現在のカーソルの位置に入力される仮名文字を、現在選択されて表示している仮名文字に決定し（ステップＳ１０）、カーソルを次の仮名文字の入力位置に進めるようになっている（ステップＳ１１）。そして、図６中のステップＳ１に戻るようになっているので、ユーザーは表示部８においてカーソルが表示されている位置に次の文字を入力する操作を行なうことができる。
【００４９】
また、第２筐体１８を回動させる操作が行われずに（図７中、ステップＳ８のＮＯ）、テンキー２４の中のいずれかのキーが操作された場合には（ステップＳ９のテンキー）、ステップＳ１０及びステップＳ１１と同様に、表示部８においてカーソルの位置に入力する仮名文字を現在選択されて表示している仮名文字に決定すると共に、カーソルを次の仮名文字の入力位置に進めるようになっている。
【００５０】
そして、ステップＳ９で操作したテンキー２４の操作を次の文字入力の操作として扱い、図６中のステップＳ３に移行する。したがって、次の文字の入力位置には、ステップＳ９の操作によりステップＳ３で保持したテンキーの値と、現在の第１筐体１２と第２筐体１８の相対的な角度に基づいてステップＳ４で保持した角度により、対応する仮名文字が表示部８に表示されるようになっている（ステップＳ５及びステップＳ６）。
【００５１】
また、重ね型携帯電話機３０は、図６及び図７のフローチャートに基づいて入力された仮名文字を、漢字に変換することができるようになっている。仮名文字を連続的に単語として認識できるまで入力した後に、第１筐体１２のサイドキー４４を操作すると、図８に示すように、制御部６２はこの単語に対応する漢字及び仮名文字の変換候補に番号を付したものを一覧にして表示部８に表示させる。
【００５２】
例えば、図８中の表示部８の変換候補の一覧は、上記のように仮名文字で「たろう」と入力した後に、サイドキー４４を操作して表示させたものである。そして、矩形の枠で囲まれている変換候補が、現在選択されているものである。
【００５３】
ユーザーが第２筐体１８を時計回り又は反時計回りのいずれかに回動させる操作を行なった場合には、制御部６２は、この操作に対応して変換候補の一覧の中から選択される漢字又は仮名文字の候補を前の番号又は次の番号の候補に移動させるようになっている。
【００５４】
そして、変換候補の一覧の中から漢字又は仮名文字のいずれかが選択されている状態で再びサイドキー４４が操作されると、制御部６２は、変換前の仮名文字をその漢字又は仮名文字に変換（確定）して表示させるようになっている。
【００５５】
このような本実施の形態に係る重ね型携帯電話機３０によれば、従来の一般的な携帯端末装置と同等の大きさのまま、文字入力の操作を簡略化することができる。
【００５６】
また、操作部１４のテンキー２４の操作と、第２筐体１８を回動させる操作とを同時に行なうことができるので、従来の携帯端末装置のように同一のキーを続けて何回も押し込む必要がなく、操作時間を短縮することができる。
【００５７】
また、仮名文字の「お」の次に「と」を入力する場合のように、１つの仮名文字を入力した後に、次に入力する仮名文字が五十音の同一の母音の段であって異なる行にあるような場合には、五十音の母音の段の中のいずれの段であってもテンキー２４の操作を１回だけ行なえばよいので操作性を向上させることができる。
【００５８】
また、表示部８に表示している仮名文字をそれが属する五十音の各行における他の仮名文字に変更したいような場合には、第２筐体１８を五十音の母音の各段に対応する角度まで回動させるだけでよいので、直感的に操作することができるため操作性を向上させることができる。
【００５９】
次に、図９に基づいて、本発明に係る第２の実施の形態に係るスライド型携帯電話機７０（携帯端末装置に相当）について説明する。この図に示すスライド型携帯電話機７０は、前記第１の実施の形態に係る重ね型携帯電話機３０と同様の部分には同じ符号を付して説明し、同様の構成や動作についての重複する説明は省略するものとする。
【００６０】
図９に示すように、本実施の形態に係るスライド型携帯電話機７０は、操作部が第１筐体１２と第２筐体１８に分かれて配置されており、決定キー２６及びカーソルキー２８は第１筐体１２に設けられ、フックオフキー２０、フックオンキー２２及びテンキー２４は第２筐体１８に設けられるようになっている。
【００６１】
また、スライド型携帯電話機７０は、第２筐体１８を第１筐体１２の内部に収納することができるような構造になっており、第１筐体１２の長さ方向の一方の端部に形成される開口部７２から第２筐体１８を引出すことができるようになっている。
【００６２】
ここで、前記第１の実施の形態と同様に、フックオフキー２０、フックオンキー２２及びテンキー２４の全てのキーが露出するまで第２筐体１８を引出した状態を開いた状態ということとする。また、図示しないが、フックオフキー２０、フックオンキー２２及びテンキー２４のいずれのキーも操作できないように、第２筐体１８を第１筐体１２の内部に押し込んで収納したような状態を閉じた状態ということとする。
【００６３】
また、このスライド型携帯電話機７０は、第２筐体１８においてテンキー２４等の配置されている面と互いに隣り合う、その長さ方向に平行な一方の側面４０に、５つの導通接点５０，５２，５４，５６，５８が設けられている。
【００６４】
これらの導通接点５０，５２，５４，５６，５８は、少なくとも文字入力に必要なテンキー２４が第１筐体１２の内部に隠れることのないような操作部露出範囲内で、第２筐体１８の引出し長さを調節したときに、第１筐体１２の内部であって開口部７２の近傍に設けられる不図示の導通接点と接触することにより電気的に導通して、第２筐体１８の引出し長さを検出することができるようになっている。
【００６５】
したがって、第２筐体１８の５つの導通接点５０，５２，５４，５６，５８、及び第１筐体１２の不図示の導通接点は、第１の実施の形態と同様の筐体開度検知部４６を構成して、第１筐体１２と第２筐体１８についての開閉方向の相対位置を検出するようになっている。
【００６６】
また、スライド型携帯電話機７０は、第１の実施の形態と同様に、その制御部６２が、テンキー２４からの操作に基づいて仮名文字テーブル６６の中から五十音の行を指定し、第１筐体１２と第２筐体１８の互いの相対的な位置に基づいて五十音の母音の段を指定することにより、対応する仮名文字を選択して、これを表示部８に表示させるようになっている。
【００６７】
なお、本実施の形態では、第２筐体１８の引出し長さを調節したときに、文字入力に最低限必要なテンキー２４が第１筐体１２の内部に隠れないような範囲を操作部露出範囲と設定しているが、フックオフキー２０、フックオンキー２２及びテンキー２４の全てのキーが第１筐体１２の内部に隠れないような範囲を操作部露出範囲として設定してもよい。
【００６８】
このようなスライド型携帯電話機７０によれば、前記第１の実施の形態に係る重ね型携帯電話機３０と同様に、従来の一般的な携帯端末装置と同等の大きさのまま、文字入力の操作を簡略化することができる。
【００６９】
また、テンキー２４の操作と、第２筐体１８の引出し長さを変化させる操作とを同時に行なうことができるので、従来の携帯端末装置のように同一のキーを続けて何回も押し込む必要がなく、操作時間を短縮することができる。
【００７０】
また、１つの仮名文字を入力した後に、次に入力する仮名文字が五十音の同一の母音の段であって異なる行にあるような場合には、五十音の母音のいずれの段であってもテンキー２４の操作を１回だけ行なえばよいので操作性を向上させることができる。
【００７１】
また、表示部８に表示している仮名文字をそれが属する五十音の各行における他の仮名文字に変更したいような場合には、第２筐体１８を五十音の母音の各段に対応する引出し長さに調節するだけでよいので、直感的に操作することができるため操作性を向上させることができる。
【００７２】
なお、前記第１及び第２の実施の形態においては、第２筐体１８側の導通接点５０，５２，５４，５６，５８の個数を５つにした場合について説明したが、第２筐体１８側の導通接点の個数を５つ以上に増やしてもよい。例えば、、第２筐体１８側の導通接点を１０個にしたような場合には、図５に示す仮名文字テーブル６６において、「あ行」の母音「お」の段に続けて「ぁ」「ぃ」「ぅ」「ぇ」「ぉ」のように、小さく表す仮名文字等を追加して設定できるようにすることができる。
【００７３】
また、前記第１の実施の形態においては、第１筐体１２を固定して第２筐体１８を回動させることにより互いの相対位置を変化させるような操作方法を説明したが、ユーザーによっては第２筐体１８を固定して第１筐体１２を回動させる方が操作性がよいと思うこともある。このような操作を行なった場合には、第１筐体１２を回動させて傾斜させると、表示部８の表示内容も一緒に傾斜してしまうため、筐体開度検知部４６により検出される第１筐体１２の角度に対応して、制御部６２が、表示部８に表示させる文字の上下方向を第２筐体１８の長さ方向と略一致させるように制御するようにしてもよい。
【００７４】
また、前記第１及び第２の実施の形態においては、本発明を重ね型携帯電話機３０及びスライド型携帯電話機７０に適用した場合について説明したが、同様の型式であればＰＤＡ（Ｐｅｒｓｏｎａｌ  Ｄｉｇｉｔａｌ  Ａｓｓｉｓｔａｎｔ）のような他の携帯端末装置にも、同様の技術的思想に基づいて本発明を適用することができることはいうまでもない。
【００７５】
また、前記第１及び第２の実施の形態においては、仮名文字を入力する操作について本発明を適用したが、アルファベットや絵文字を入力する操作について本発明を適用することもできる。
【図面の簡単な説明】
【００７６】
【図１】本発明の第１の実施の形態に係る重ね型携帯電話機３０の開いた状態を示す斜視図である。
【図２】図１に示す重ね型携帯電話機３０の閉じた状態を示す斜視図である。
【図３】図１に示す重ね型携帯電話機３０の操作部露出範囲を示す平面図である。
【図４】図１に示す重ね型携帯電話機３０の回路構成を示すブロック図である。
【図５】図４に示す記憶部６４に記憶されている仮名文字テーブル６６である。
【図６】本発明の第１の実施の形態における重ね型携帯電話機３０の動作手順を示すフローチャートである。
【図７】本発明の第１の実施の形態における重ね型携帯電話機３０の動作手順を示すフローチャートである。
【図８】図１に示す表示部８に変換候補の一覧を表示させた状態を示す重ね型携帯電話機３０の拡大平面図である。
【図９】本発明の第２の実施の形態に係るスライド型携帯電話機７０の開いた状態を示す斜視図である。
【図１０】従来の携帯端末装置４を示す平面図である。
【図１１】従来の折り畳み型携帯電話機６を示す斜視図である。
【符号の説明】
【００７７】
２  円形型入力部
４  携帯端末装置
６  折り畳み型携帯電話機
８  表示部
１０  スピーカー
１２  第１筐体
１４  操作部
１６  マイクロホン
１８  第２筐体
２０  フックオフキー
２２  フックオンキー
２４  テンキー
２６  決定キー
２８  カーソルキー
３０  重ね型携帯電話機
３２，３４  端部
３６  連結軸
３８  表示面
４０，４２  側面
４４  サイドキー
４６  筐体開度検知部
４８，５０，５２，５４，５６，５８  導通接点
６０  無線部
６２  制御部
６４  記憶部
６６  仮名文字テーブル
７０  スライド型形態電話機
７２  開口部  
【図１】
2005079851.tif 000003
【図２】
2005079851.tif 000004
【図３】
2005079851.tif 000005
【図４】
2005079851.tif 000006
【図５】
2005079851.tif 000007
【図６】
2005079851.tif 000008
【図７】
2005079851.tif 000009
【図８】
2005079851.tif 000010
【図９】
2005079851.tif 000011
【図１０】
2005079851.tif 000012
【図１１】
2005079851.tif 000013